(57)【要約】【課題】サーバを必要としない構成でありながら、受注先で効率的に注文内容を確認することができ、かつ、故障時においてもシステム全体が機能し、故障装置を容易に置き換えることができる注文用端末装置、および注文処理システムを提供する。【解決手段】無線端末９をＬＡＮ５で接続する。無線端末９は、メニュー画面を表示して顧客の注文を受け付け、注文情報は、ＬＡＮ５を経由して他の無線端末９に転送される。無線端末９は、注文情報をカテゴリ別に集計し、注文確認用の画面をカテゴリ別に表示する。厨房の各担当者は、自身の担当するカテゴリの注文確認用の画面を確認して調理を開始し、調理済みである旨を入力する。調理済みである旨を示す情報は他の無線端末９に転送され、他の無線端末９で確認することができる。【選択図】図１
2008027005.tif 000002
【特許請求の範囲】
【請求項１】
映像を表示する表示部と、
利用者による操作を受け付ける操作部と、
他の装置と情報を送受信する通信部と、
商品の商品コード、価格を含む情報からなる商品データベースと、
注文された商品の情報を記憶する注文商品テーブルと、
発注モード処理、および受注モード処理を選択的に実行する制御部と、
を備えた注文用端末装置であって、
前記発注モード処理は、前記商品データベースに基づいてメニュー画面を構成して前記表示部に表示させるべく出力し、前記操作部が受け付けた利用者の操作に基づいて、少なくとも商品コード、および個数を含む発注情報を作成し、当該発注情報に基づいて前記注文商品テーブルを更新するとともに、前記通信部を介して発注情報を送信する動作であり、
前記受注モード処理は、前記注文商品データベースに基づいて注文された商品のリストを含む受注画面を構成して前記表示部に表示させるべく出力し、前記操作部が受け付けた利用者の操作に基づいて、受注側の対応状況を示す注文処理情報を作成し、当該注文処理情報に基づいて前記注文商品テーブルを更新するとともに、前記通信部を介して注文処理情報を送信する動作であり、
さらに、前記制御部は、前記通信部を介して他の装置から受信した発注情報、および注文処理情報に基づいて、前記注文商品テーブルを更新する
注文用端末装置。
【請求項２】
前記操作部が利用者による解除操作を受け付けた場合にのみロックを解除するロック手段を備え、
前記制御部は、前記ロック手段がロック解除した場合に限り、前記受注モード処理を実行する請求項１に記載の注文用端末装置。
【請求項３】
前記操作部は、タッチパネルと、前記メニュー画面または前記受注画面に含まれるボタンと、からなる請求項１、または請求項２に記載の注文用端末装置。
【請求項４】
前記制御部は、前記発注モード処理を実行する場合、前記注文商品テーブルの更新を行わないことを特徴とする請求項１、請求項２、または請求項３に記載の注文用端末装置。
【請求項５】
前記商品は、複数のカテゴリに分類されており、
前記受注モード処理における受注画面は、選択された一部のカテゴリの商品のリストを表示する請求項１乃至請求項４のいずれかに記載の注文用端末装置。
【請求項６】
ネットワークを介して、複数の請求項１乃至請求項５のいずれかに記載の注文用端末装置を接続し、
そのうち一部の注文用端末装置の制御部に、前記発注モード処理を実行させ、
他の一部の注文用端末装置の制御部に、前記受注モード処理を実行させる注文処理システム。
【請求項７】
ネットワークを介して、複数の請求項５に記載の注文用端末装置を受注用端末装置として接続し、
これらの受注用端末装置の制御部に、それぞれ分担して複数のカテゴリの商品のリストを表示するように、前記受注モード処理を実行させ、
さらに、複数の請求項１乃至請求項５のいずれかに記載の注文用端末装置を発注用端末装置として接続し、
これらの発注用端末装置の制御部に、前記発注モード処理を実行させる注文処理システム。
【発明の詳細な説明】
【技術分野】
【０００１】
この発明は、ネットワークを経由して商品を注文する注文用端末装置、およびこの注文用端末装置を用いた注文処理システムに関する。
【背景技術】
【０００２】
従来、注文処理システムとして、顧客の注文内容を従業員等が注文用端末に入力し、中央サーバが集約管理するものが提案されている（例えば特許文献１〜５参照）。このようなシステムでは、中央サーバが注文用端末から注文を受け付けると、この注文内容を厨房の各担当者（厨房用端末）へ配信する。厨房の各担当者は、厨房用端末（レシートプリンタ等）で注文内容を確認し、調理を行う。
【０００３】
また、顧客から厨房に対して直接オーダーをすることができるシステムも提案されている（例えば特許文献６参照）。このシステムは、顧客がオーダー専用端末装置を操作して食べ物を注文すると、この内容が厨房に設置されたプリンタからプリントアウトされるものである。
【特許文献１】特開平８−４４３１１号公報
【特許文献２】特開２００２−１４０４１２号公報
【特許文献３】特開２００３−１９６７５０号公報
【特許文献４】特開２００３−２５６５２６号公報
【特許文献５】特開２００５−２４２８４６号公報
【特許文献６】特開平１０−２９３７９５号公報
【発明の開示】
【発明が解決しようとする課題】
【０００４】
しかし、上記従来の注文処理システムは、注文処理用の高機能な中央サーバを有するため、導入コストや維持費が多大に必要となる問題点が有った。
【０００５】
また、サーバが故障した場合、注文処理システム全体が機能しなくなるという問題も有った。サーバ故障時にもシステムが機能するためには、バックアップサーバ等を設置し、冗長なシステムを構成しなければならず、やはり導入コスト、維持費が多大に必要となっていた。
【０００６】
この発明は、サーバを必要としない構成でありながら、受注先で効率的に注文内容を確認することができ、かつ、故障時においてもシステム全体が機能し、故障装置を容易に置き換えることができる注文用端末装置、および注文処理システムを提供することを目的とする。
【課題を解決するための手段】
【０００７】
この発明の注文用端末装置は、映像を表示する表示部と、利用者による操作を受け付ける操作部と、他の装置と情報を送受信する通信部と、商品の商品コード、価格を含む情報からなる商品データベースと、注文された商品の情報を記憶する注文商品テーブルと、発注モード処理、および受注モード処理を選択的に実行する制御部と、を備えた注文用端末装置であって、前記発注モード処理は、前記商品データベースに基づいてメニュー画面を構成して前記表示部に表示させるべく出力し、前記操作部が受け付けた利用者の操作に基づいて、少なくとも商品コード、および個数を含む発注情報を作成し、当該発注情報に基づいて前記注文商品テーブルを更新するとともに、前記通信部を介して発注情報を送信する動作であり、前記受注モード処理は、前記注文商品データベースに基づいて注文された商品のリストを含む受注画面を構成して前記表示部に表示させるべく出力し、前記操作部が受け付けた利用者の操作に基づいて、受注側の対応状況を示す注文処理情報を作成し、当該注文処理情報に基づいて前記注文商品テーブルを更新するとともに、前記通信部を介して注文処理情報を送信する動作であり、さらに、前記制御部は、前記通信部を介して他の装置から受信した発注情報、および注文処理情報に基づいて、前記注文商品テーブルを更新することを特徴とする。
【０００８】
この構成では、商品のメニュー画面を表示し、顧客による注文を受け付ける。受け付けた注文情報により自身の注文用端末装置の注文商品テーブルを更新するとともに、この注文情報を他の注文用端末装置に送信する。また、他の注文用端末装置から注文情報を受信した場合にも注文商品テーブルを更新する。
さらに、この構成では、注文商品テーブルに基づいて、注文された商品の受注画面を表示し、受注側の対応状況を受け付ける。受注側の対応状況を示す注文処理情報により、自身の注文用端末装置の注文商品テーブルを更新するとともに、この注文処理情報を他の注文用端末装置に送信する。また、他の注文用端末装置から注文処理情報を受信した場合にも注文商品テーブルを更新する。
これにより、サーバを必要としない構成でありながら、受注側で効率的に注文内容を確認することができる。また、受注側の係員の操作による更新（例えば調理済みである旨の入力）も全ての端末で確認することができる。
【０００９】
また、この発明は、前記操作部が利用者による解除操作を受け付けた場合にのみロックを解除するロック手段を備え、前記制御部は、前記ロック手段がロック解除した場合に限り、前記受注モード処理を実行することを特徴とする。
【００１０】
この構成では、受注処理モード（すわなち受注画面の表示）は、（パスワード等により）ロックされている。したがって、顧客が受注画面を確認できないようになっており、係員だけが確認して、注文処理情報を入力することができる。
【００１１】
また、この発明は、前記操作部は、タッチパネルと、前記メニュー画面または前記受注画面に含まれるボタンと、からなることを特徴とする。
【００１２】
この構成では、タッチパネルの画面に表示されているボタンをタッチすることで操作を入力する。これにより、発注モード処理用の操作ボタン、受注モード処理用の操作ボタン等を専用に構成する必要が無く、画面を変更することにより自由に構成することができる。
【００１３】
また、この発明は、前記制御部は、前記発注モード処理を実行する場合、前記注文商品テーブルの更新を行わないことを特徴とする。
【００１４】
この構成では、発注モード処理を実行する場合は、注文商品テーブルを更新しない。これにより、顧客用の注文用端末装置では、他の装置で発注が有った場合でも、無駄な処理を実行せず、他の処理を（例えば表示部と操作部を用いてゲーム機能を）実行することができる。
【００１５】
また、この発明は、前記商品は、複数のカテゴリに分類されており、前記受注モード処理における受注画面は、選択された一部のカテゴリの商品のリストを表示することを特徴とする。
【００１６】
この構成では、商品はカテゴリ別に分類されている。受注画面では、カテゴリ別の商品リストが表示され、受注側の係員は、自身の担当分の注文内容を効率よく確認することができる。
【００１７】
この発明の注文処理システムは、ネットワークを介して、複数の請求項１乃至請求項５のいずれかに記載の注文用端末装置を接続し、そのうち一部の注文用端末装置の制御部に、前記発注モード処理を実行させ、他の一部の注文用端末装置の制御部に、前記受注モード処理を実行させることを特徴とする。
【００１８】
この構成では、複数の注文用端末装置をネットワークで接続する。各端末は、発注モード処理を実行する端末と、受注モード処理を実行する端末と、に分けられる。サーバを必要としない構成であるため、故障時においても注文処理システム全体が機能する。また、店舗に設置した注文用端末装置も、受注側（厨房など）に設置した注文用端末装置も全て同じハードウェア構成、ソフトウェア構成であり、モードの切り換え（表示画面の切り換え）により容易に顧客側と受注側の端末を入れ替えることができ、故障装置を容易に置き換えることができる。
【００１９】
また、この発明は、ネットワークを介して、複数の請求項５に記載の注文用端末装置を受注用端末装置として接続し、これらの受注用端末装置の制御部に、それぞれ分担して複数のカテゴリの商品のリストを表示するように、前記受注モード処理を実行させ、さらに、複数の請求項１乃至請求項５のいずれかに記載の注文用端末装置を発注用端末装置として接続し、これらの発注用端末装置の制御部に、前記発注モード処理を実行させることを特徴とする。
【００２０】
この構成では、複数の注文用端末装置をネットワークで接続する。各端末は、発注モード処理を実行する端末と、受注モード処理を実行する端末と、に分けられる。受注モード処理を実行する複数の端末は、それぞれ分担して複数のカテゴリを表示する。例えば、にぎり担当者用の端末は、にぎりのカテゴリをリスト表示し、飲物担当者用の端末は、飲物のカテゴリをリスト表示する。
【発明の効果】
【００２１】
この発明によれば、サーバを必要としない構成でありながら、受注側の各担当者が注文内容を効率的に確認することができる。
【００２２】
また、故障時においてもシステム全体が機能し、故障装置を容易に置き換えることができる。
【発明を実施するための最良の形態】
【００２３】
図面を参照してこの発明の実施形態である注文処理システムについて説明する。この実施形態では、飲食店における飲食物の注文処理に適用された注文処理システムの例を示す。
【００２４】
図１は、同飲食店におけるネットワーク構成を説明する図である。この飲食店には、複数の携帯用の無線端末９Ａ〜９Ｇ、無線アクセスポイント８Ａ、８Ｂ、およびルータ４が設置されている。携帯用の無線端末９Ａ〜９Ｄ、および無線アクセスポイント８Ａは、店舗２に設置されている。無線端末９Ｅ〜９Ｇ、および無線アクセスポイント８Ｂは、厨房３に設置されている。無線端末９Ａ〜９Ｇは、全て同じハードウェア構成、およびソフトウェア構成を有する。
【００２５】
飲食店では、店内の（有線）ＬＡＮ５を介してルータ４、無線アクセスポイント８Ａ，８Ｂが接続されており、無線アクセスポイント８を介した無線通信によって複数台の無線端末９Ａ〜９ＧがＬＡＮ５に接続されている。
【００２６】
ルータ４は、飲食店の管理室内等に設置され、インターネット１０に接続される。複数の無線端末９は、各顧客、および担当者に１台ずつ設置される。同図においては、顧客１Ａに無線端末９Ａ、顧客１Ｂに無線端末９Ｂ、顧客１Ｃに無線端末９Ｃが設置されている。
また、会計担当者１Ｄ（が在席するレジカウンタ等）には、無線端末９Ｄが設置されている。厨房３のにぎり担当者１Ｅ（が在席する調理場）には、無線端末９Ｅが設置され、汁物担当者１Ｆには無線端末９Ｆが設置され、飲物担当者１Ｇには無線端末９Ｇが設置されている。
なお、無線アクセスポイント８、および無線端末９の設置個数、設置場所はこの例に限るものではない。
【００２７】
無線端末９は、顧客の注文を処理し、その注文内容を店内の他の無線端末９に送信する注文処理機能を有している。また、店舗２、厨房３にいる各担当者が入力した操作内容を処理し、その操作内容を他の無線端末９に送信する。各担当者が入力する操作内容としては、例えば厨房３の各担当者が顧客の注文に応じて行った調理を終えた旨を示す内容、および店舗２の会計担当者１Ｄが、顧客の注文が会計済みである旨を示す内容等である。
【００２８】
また、無線端末９は、顧客のＩＤカードを読み取ってその顧客をサーバにログインさせるログイン機能、ゲームプログラムをするゲーム機能等も有している。さらに、この無線端末９は、カラオケ店などのリクエスト用端末として用いることも可能である。リクエスト用端末として用いる場合、各カラオケ個室に設置されているカラオケ装置と対応づけられ、顧客（カラオケ利用者）が無線端末９を操作して行ったリクエストが対応づけられたカラオケ装置に送信される。カラオケ装置は、受信したリクエストのカラオケ曲を演奏する。
【００２９】
ルータ４は、インターネット１０を介して、外部のセンタサーバ（図示せず）と接続される。センタサーバは、顧客データ等を蓄積記憶している。各無線端末９は、ＬＡＮ５，ルータ４およびインターネット１０を介してセンタサーバにアクセスし、顧客データのダウンロード（顧客のログイン）等の通信を行う。
【００３０】
この注文処理システムで顧客が飲食物を注文する場合、各顧客は、無線端末９の注文処理プログラムを起動し、この注文処理プログラムを用いて注文する商品を選択し、その個数を入力する。無線端末９（注文処理プログラム）は、この入力された内容を注文情報として各無線端末９に（ブロードキャストで）送信する。
【００３１】
図２は、顧客１Ａが無線端末９Ａを用いて飲食物を注文した場合のデータの流れを示す図である。顧客１Ａの注文情報は、無線端末９Ａから他の無線端末９Ｂ〜９Ｇに送信される。なお、ルータ４にも送信されているが、ルータ４は、この注文情報を破棄する。
【００３２】
各無線端末９は、注文情報を受信すると、これを集計し、カテゴリ別にディスプレイに表示する。厨房３の各担当者は、この表示にしたがって注文内容を確認し、調理を行う。各担当者は、調理を終えると、注文確認画面から、調理を終えた旨を入力する。担当者が調理を終えた旨を入力すると、無線端末９は、この操作内容を示す情報を他の無線端末９に送信する。
【００３３】
図３は、にぎり担当者１Ｅが無線端末９Ｅを用いて調理を終えた旨を入力した場合のデータの流れを示す図である。にぎり担当者１Ｅの操作内容を示す情報は、無線端末９Ｅから他の無線端末９Ａ〜９Ｄおよび無線端末９Ｆ、９Ｇに送信される。なお、この場合もルータ４にも送信されているが、ルータ４は、この操作内容を示す情報を破棄する。
【００３４】
無線端末９は、タッチパネル機能を備えたＬＣＤディスプレイを有しており、このＬＣＤディスプレイに上述した種々の機能を選択するボタンを表示している。顧客、および担当者が、そのボタンのうちの注文ボタンをタッチすると、注文処理機能（注文処理プログラム）が起動する。また、上述の注文確認画面は、パスワード管理されており、顧客が見ることができないようになっている。なお、注文内容画面を顧客が見ることができるようにしてもよいが、顧客が調理を終えた旨を入力したり、会計済である旨を入力したりすることができないようにしてもよい。
【００３５】
顧客からの注文の受け付けは、例えば大カテゴリ→サブカテゴリ→個別商品の順にカテゴリ別に注文を受け付ける方式等を採用する。以下、カテゴリ別に注文を受け付ける方式について説明する。
【００３６】
図６に示すように、無線端末９は、トップページで、すし、汁物等の大カテゴリを選択する画面を表示し、顧客の選択に応じて、サブカテゴリの選択ページを表示する。例えば、すしのサブカテゴリは、にぎり、巻物、その他等であり、汁物のサブカテゴリは、みそ汁、すまし等である。顧客は、このツリーを辿ってゆくことで、所望の注文ページにたどり着くことができ、その注文ページで注文ボタンをタッチすることで、所望の飲食物を注文することができる。無線端末９は、顧客が飲食物を注文すると、図２に示したように、他の無線端末９に注文情報を送信する。これにより、全ての無線端末９で同じ注文情報を共有する。
【００３７】
メニューを掲載したページ（注文処理ページ）は、センタサーバから各無線端末９に定期的に配信され、更新される。飲食店の経営者は、定期的にセンタサーバに対し、自店のメニューの変更を示す情報を送信する。
【００３８】
無線端末９は、トップページで、担当者から特定の操作（例えばパスワード入力）を受け付けると、管理画面に移行する。管理画面では、各担当者用に、カテゴリ別の注文表示選択ができるようになっている。例えば、にぎり用注文表示を選択すると、図７（Ａ）に示すように、にぎり用注文確認ページが表示され、にぎりの注文リストを確認することができる。また、飲物用注文表示を選択すると、図７（Ｂ）に示すように、飲物用ページが表示され、飲物の注文リストを確認することができる。
【００３９】
各担当者は、注文リストの「ステータス」をタッチすることで、「ステータス未」を「ステータス済」に変更することができる。これにより、調理を終えた旨を入力することができる。また、会計担当者は、注文リストの「ステータス」をタッチすることで、「ステータス済」を「ステータス会計済」に変更することができる。これにより、会計を終えた旨を入力することができる。無線端末９は、担当者がステータスの変更を入力すると、図３に示したように、他の無線端末９にステータス変更を示す情報を送信する。これにより、全ての無線端末９で同じ情報を共有し、同じ画面を見ることができる。
【００４０】
図４は、無線端末９の外観図である。また、図５は、同無線端末９の構成を示すブロック図である。上述したように、無線端末９Ａ〜９Ｇは、全て同じ構成であり、図４に示す外観、および図５に示す構成を有する。
【００４１】
図４において、この無線端末９は、飲食物の注文用端末、および注文内容の確認用端末、決済用端末として機能するほか、顧客のログイン機能や、カメラによる撮影機能を有し、カラオケ曲の予約や曲のテンポ・キーをコントロールする機能を備えたいわゆるリモコン装置としても機能する。なお、上記注文用端末としての機能は、カメラ５３、マイク５５を用いたテレビ電話機能を含んでいる。
【００４２】
無線端末９は、図４に示すように、略五角形（ホームベース状）の形状をしており、筐体の接合部がシール処理された防滴構造になっている。これは飲食店でも高い信頼性で動作するようにしているためである。この筐体の中央部にＬＣＤディスプレイ５０を備えている。このＬＣＤディスプレイ５０の下方中央にカードリーダ部５２、その左右にステレオスピーカ５１が設けられている。また、ＬＣＤディスプレイ５０の上端部には、カメラ５３、ストロボフラッシュ５４、マイク５５が設けられている。
【００４３】
ＬＣＤディスプレイ５０は、タッチパネル機能を有している。ＬＣＤディスプレイ５０には、動作モードに応じて各種のボタンが表示され、利用者によるボタン操作をタッチパネルスイッチ６９（図５参照）が検出する。飲食物の注文時には、商品を選択するためのボタンが表示され、担当者が注文内容を確認する場合にはステータス（未調理、調理済、会計済）を変更するためのボタンが表示される。なお、パスワードを入力するためのテンキー、パソコン配列のキーボード等のタッチキーも表示される。
【００４４】
カードリーダ５２には、顧客のＩＤカードがセットされる。ＩＤカードは無線通信機能を備えたＩＣカードである。カードリーダ部５２の内部には、非接触カードインタフェース６５（図５参照）のアンテナが埋め込まれている。顧客のＩＤカードがカードリーダ部５２にセットされると、非接触カードインタフェース６５が無線通信でＩＤカードと通信し、このＩＤカードに記憶されている顧客ＩＤを読み取る。無線端末９は、読み取ったＩＤをＬＡＮ５−ルータ４−インターネット１０を介してセンタサーバに送信する。センタサーバは、無線端末９から顧客ＩＤを受信することにより、当該顧客の利用履歴を更新するとともに、当該無線端末９に対してこの顧客の顧客情報を送信する。無線端末９は、センタサーバから顧客情報を受信して、顧客の名前を表示し、顧客個別対応を行う。例えば、常連の顧客には飲食物の料金を割り引いて表示する等の処理を行う。
【００４５】
また、この無線端末９は簡略な音源を内蔵しており、楽音を再生して楽曲の演奏をする機能を有している。この再生された楽音がステレオスピーカ５１から出力される。また、上述したように、この無線端末９は、ゲームプログラムも内蔵している。顧客は、飲食物が来るまでの待ち時間で楽音を聴いたり、ゲームを楽しんだりすることができる。
【００４６】
図５は、同無線端末９のブロック図である。無線端末９を制御するＣＰＵ６０には、内部バスを介してＲＯＭ６１、ＲＡＭ６２、音源６３、非接触カードインタフェース６５、無線ＬＡＮインタフェース６６、周辺機器コントローラ６８が接続されている。
【００４７】
ＲＯＭ６１には、この無線端末９の動作を制御する注文処理プログラムを含む各種プログラムが記憶されている。ＲＯＭ６１は、フラッシュメモリで構成されており、ＵＳＢインタフェースを介して接続される外部装置によってプログラムの書き換えやバージョンアップが行われる。ＲＡＭ６２には、前記各種プログラムの動作領域、顧客情報等の各種データ記憶領域が設定される。
【００４８】
音源６３は、楽曲データ（ＭＩＤＩデータ）に基づいて楽音を発生させることができるものである。この音源６３は、上記楽音の再生時、ゲームプログラム起動時に利用される。音源６３にはアンプ６４が接続されている。アンプ６４は、音源６３が生成した楽音を増幅してステレオスピーカ５１に出力する。
【００４９】
非接触カードインタフェース６５は、カードリーダ部５２にセットされた非接触媒体であるＩＤカードと通信するためのインタフェースである。この非接触カードインタフェース６５は、電磁波で非接触カードに電源を供給する機能および無線で非接触カードと通信する機能を備えている。
【００５０】
無線ＬＡＮインタフェース６６は、アンテナ６７を内蔵し、無線アクセスポイント８を介してこの無線端末９をＬＡＮ５に接続するためのインタフェースである。
【００５１】
マイク５５が収音した音声信号は、Ａ／Ｄコンバータ７３でデジタル信号に変換されてＣＰＵ６０に入力される。
【００５２】
周辺機器コントローラ６８には、前記ＬＣＤディスプレイ５０、タッチパネルスイッチ６９、カメラ５３、ストロボフラッシュ５４のほか、赤外線リモコン信号をカラオケ装置に対して送信する赤外線リモコン送信部７０、他の装置と赤外線通信をするためのＩｒＤＡ７１、ＵＳＢインタフェース７２等が接続されている。
【００５３】
カメラ５３はストロボフラッシュ５４とともにスチールカメラとして機能するほか、マイク５５とともにテレビ電話として機能する。
【００５４】
赤外線リモコン送信部７０は、この無線端末９をカラオケ店舗の各カラオケルームに設置して用いる場合に、同じ部屋のカラオケ装置と対応づけるペアリング処理時に用いられる。無線端末９は、カラオケ店舗においては、リモコン装置として機能するが、ペアリング処理をすることにより、特定のカラオケ装置（同じ個室内のカラオケ装置）と対応づけられ、カラオケ曲のリクエスト情報等はこの対応づけられたカラオケ装置に自動的に送信される。また、カラオケ曲の演奏中には、ＬＣＤディスプレイ５０にカラオケ曲の歌詞テロップが、カラオケ装置によるカラオケ曲の演奏と同期して表示される。ＵＳＢインタフェース７２は、この装置にパーソナルコンピュータ等のメンテナンス装置を接続してＲＯＭ（フラッシュメモリ）６１に記憶されているプログラム（ファームウェア）を書き換えるときに使用される。
【００５５】
また、上記のようにこの無線端末９は、防滴筐体を有しタッチパネルディスプレイを備えた構造になっているため、蒸気や油の飛散等で環境の悪い厨房に設置しても高い信頼性で動作し、且つ操作も容易であり、厨房で調理者が直接端末装置を操作してオーダーを確認することができ、オーダー（注文）の連絡を効率的に厨房に伝えることができる。
【００５６】
図８は、注文処理ページの構成例を示す図である。同図（Ａ）は、注文処理プログラムが起動したとき、最初に表示されるトップページを示している。このトップページは、飲食物のカテゴリを選択する画面になっている。また、同図（Ｂ）は、「すし」のカテゴリのなかの「にぎり」のサブカテゴリで商品を選択する画面を示している。
【００５７】
同図（Ａ）において、トップページのページ画像１００は、４つのカテゴリボタン１０２〜１０５を表示し、さらに、その下方に、頭文字入力ボタン１０６、商品Ｎｏ（番号）入力ボタン１０７、注文履歴ボタン１０８を表示したものである。カテゴリボタン１０２〜１０５は、すしボタン１０２、飲物ボタン１０３、汁物ボタン１０４、その他ボタン１０５である。また、頭文字入力ボタン１０６は、ツリーを辿らずに商品名を入力して直接商品発注ページに到達するための頭文字入力ページへ移行するためのボタンである。商品Ｎｏ入力ボタン１０７は、ツリーを辿らずに商品番号を入力して直接商品発注ページに到達するための商品番号入力ページへ移行するためのボタンである。注文履歴ボタン１０８は、現在の顧客が入店してから今まで注文した商品の履歴を表示するページへ移行するためのボタンである。
【００５８】
同図（Ｂ）において、中央部には、４つの商品（中トロ、えび、タコ、タマゴ）の写真が表示される。各写真に付随して、その商品を選択するとともにその注文個数を加算する「選ぶ」ボタン１１１、注文個数を減算する「減らす」ボタン１１２が表示される。ただし、品切れ中の商品については、これらのボタンは表示されない。また、画面下方には、注文した商品と個数を注文情報として他の無線端末９に送信する「注文する」ボタン１１５が表示される。
【００５９】
また、画面に表示する商品を変更する各種ボタン群１１３，１１４が写真の上下に表示される。ボタン群１１３は、商品カテゴリを図６のツリーの横方向に移動するためのボタンである。また、ボタン群１１４は、同じカテゴリ内の異なる商品を表示させるためのボタンである。また画面の上左端部には画面表示を同図（Ａ）のトップページにもどすためのトップページボタン１１６が表示される。
【００６０】
図７は、注文内容確認ページの構成例を示す図である。同図に示す表は、担当者が上記トップページで特定の操作を行った場合に表示される。注文内容確認ページは、カテゴリ別に表示されるマトリクスからなる。各カテゴリの注文確認ページは、「テーブル」、「内容」、「個数」、「ステータス」の項目からなり、「テーブル」の項目には顧客が在席するテーブル番号が表示され、「内容」の項目には、顧客の注文内容（中トロ、ハマチなど）が表示される。また、「個数」の項目には、注文内容毎にその注文個数が表示される。「ステータス」の項目には、注文内容毎に未調理「未」であるか、調理済み「済」であるか、会計済み「会計済」であるか、が表示される。また、「ステータス」の項目に表示される文字は、タッチすることができるボタンとなっており、「未」の表示をタッチすると「済」に変更されるようになっている。また、「済」の表示をタッチすると「会計済」に変更されるようになっている。
【００６１】
図６は、複数の注文処理ページのリンク構造の一部を示す図である。図６、および図８に示したトップページ（００１）は、上述した４つのカテゴリボタンにより、４つのサブカテゴリページ、すなわち、すしページ（００２）、汁物ページ（００３）、飲物ページ（００４）、その他ページ（００５）にリンクしている。さらに、すしページ（００２）には、さらにサブカテゴリの、にぎりページ（００６）、巻物ページ（００７）、その他ページ（００８）がリンクしている。また汁物ページ（００３）には、さらにサブカテゴリの、みそ汁ページ（００９）、すましページ（０１０）がリンクしている。
【００６２】
また、トップページ（００１）は、管理ページ（０１１）にリンクしており、パスワード入力すると管理ページ（０１１）に移行するようになっている。管理ページ（０１１）は、カテゴリボタンが表示され、４つのカテゴリ別注文内容確認ページ、すなわち、にぎり用注文確認ページ（０１２）、汁物用注文確認ページ（０１３）、飲物用注文確認ページ（０１４）にリンクしている。
【００６３】
図９は、注文手順を示すフローチャートである。同図（Ａ）は、顧客が注文操作を行う場合の無線端末９の動作を示す。同図（Ｂ）は、注文情報を受信した場合の無線端末９の動作を示す。顧客が無線端末９を操作して注文処理プログラムを起動し、メニューの表示を要求すると（Ｓ１）、無線端末９は、メニュー画面、すなわち注文処理ページをＬＣＤディスプレイ５０に表示する（Ｓ２）。
【００６４】
無線端末９のＬＣＤディスプレイ５０にメニューが表示されると、顧客は、このメニューに表示された飲食物を選択して、個数を入力する等の注文処理を行う（Ｓ３）。無線端末９は、注文操作によって入力された内容を注文情報として他の無線端末９に送信する（Ｓ４）。
【００６５】
無線端末９は、注文情報を受信すると（Ｓ１１）、注文された飲食物のカテゴリ（にぎり、汁物、飲物）別に集計し（Ｓ１２）、図７に示したカテゴリ別の表示内容を変更する（Ｓ１３）。これにより、注文情報は、全ての無線端末９で共有される。
【００６６】
図１０は、注文確認手順を示すフローチャートである。同図（Ａ）は、担当者が入力操作を行う場合の無線端末９の動作を示す。同図（Ｂ）は、ステータス変更情報を受信した場合の無線端末９の動作を示す。
【００６７】
担当者が無線端末９を操作して管理ページの各カテゴリ別注文確認ページからステータスの変更操作を行うと（Ｓ２１）、無線端末９は、自身の端末のステータス表示を変更する（Ｓ２２）。すなわち集計されている注文情報のステータスを変更する。その後、他の無線端末９にステータス変更情報を送信する（Ｓ２３）。
【００６８】
無線端末９は、ステータス変更情報を受信すると（Ｓ３１）、これに基づいて集計されている注文情報のステータスを変更し（Ｓ３２）、ＬＣＤディスプレイ５０の表示を変更する（Ｓ３３）。例えば、図７（Ａ）のテーブル番号８、内容甘エビ、個数２のステータスを「未」から「済」に変更する旨を示すステータス変更情報を受信した場合、自身の端末のステータスを「未」から「済」に変更してＬＣＤディスプレイ５０に表示する。
以上のようにして、ＬＡＮ内に中央サーバが無い簡易な構成であっても、各担当者は、注文内容を確認することができ、他の担当者の調理進行状況、決済状況も把握することができる。また、この構成では、注文情報、調理進行状況、決済状況が全ての無線端末９に送信されるため、いずれか１つの無線端末９が故障したとしても、システム全体は機能し、注文内容を確認することができる。また、故障した端末を容易に置き換えることができ、臨時的に他の無線端末９を用いて注文内容を確認することができる。例えばにぎり担当者は、自身の無線端末９が故障したときでも、他の担当者（汁物担当者）の無線端末９を用いて、にぎり用注文確認ページを見ることができる。
【００６９】
図１１は、経営者等が飲食店のメニューを変更する場合の手順を説明する図である。図６に示した注文処理ページのデータは、各無線端末９に保存されているが、定期的にセンタサーバから配信されることで、変更することができる。同図（Ａ）は、提供する飲食物を削除するメニュー削除処理の処理手順を示す図である。同図（Ｂ）は、提供する飲食物を新たに追加するメニュー登録処理の処理手順を示す図である。
【００７０】
同図（Ａ）のメニュー削除処理において、提供する飲食物を削除する経営者が、無線端末９を操作してメニュー削除要求をセンタサーバに送信する（Ｓ４１）。なお、経営者は、この処理を行う前に、経営者専用のＩＤカードを読み取らせて、無線端末９をセンタサーバにログインさせておくものとする。センタサーバは、この削除要求を受信すると（Ｓ４２）、無線端末９に対して、センタサーバが管理している、その飲食店におけるメニューを送信する（Ｓ４３）。
【００７１】
無線端末９は、センタサーバからメニューを受信すると（Ｓ４４）、このメニューをＬＣＤディスプレイ５０に表示する（Ｓ４５）。経営者は、表示されたメニューの中から削除する飲食物を選択する（Ｓ４６）。無線端末９は選択された飲食物を削除するための削除情報を作成してセンタサーバに対して送信する（Ｓ４７）。センタサーバは、無線端末９から削除情報を受信して（Ｓ４８）、この削除情報で指定された飲食物の情報を注文処理ページから削除する（Ｓ４９）。
【００７２】
同図（Ｂ）のメニュー登録処理において、提供する飲食物を追加登録する飲食店の経営者が、まずメニューとして表示する飲食物の情報を入力する。この情報の入力は、まずカテゴリの入力（Ｓ６１）、飲食物名、価格の入力（Ｓ６２）、カメラ５３による飲食物の撮影（Ｓ６３）等である。
【００７３】
こののち、経営者が、無線端末９を操作してメニュー追加登録要求をセンタサーバに送信する（Ｓ６４）。センタサーバは、この追加登録要求を受信すると（Ｓ６５）、無線端末９に対して、新たな飲食物をメニューに登録するための登録フォームを送信する（Ｓ６６）。
【００７４】
無線端末９は、センタサーバから登録フォームを受信すると（Ｓ６７）、この登録フォームに先に入力してあった情報（カテゴリー、飲食物名、価格、写真等）を流し込んで登録情報を作成し（Ｓ６８）、これをセンタサーバに送信する（Ｓ６９）。なお、登録フォームへの情報の流し込みは、自動的に行っても手動で行ってもよい。
【００７５】
センタサーバは、無線端末９から登録情報を受信し（Ｓ７０）、登録情報のカテゴリに登録情報の飲食物をメニューとして追加する（Ｓ７１）。
【００７６】
以上のように、経営者は、メニュー内容を簡単に変更することができる。
なお、上記実施形態では、全ての無線端末９で情報を共有し、注文確認用ページの内容を更新する例について説明したが、無線端末９を設置するときに、それぞれの無線端末９が顧客用であるか、担当者用であるかを入力しておく（セットアップする）ことで、担当者用の無線端末のみ、注文情報等に基づいて注文確認用ページの内容を更新するようにしてもよい。すなわち、各担当者の無線端末９Ｄ〜９Ｇは、受信した注文情報等に基づいて注文確認用ページの内容を更新し、顧客の無線端末９Ａ〜９Ｃは、受信した注文情報等を破棄する。これにより、顧客が注文内容確認用のページを見たとしても何ら表示されず、パスワードのロックをしなくともよい。また、更新作業を行わないため、ＣＰＵの処理負担を低減し、他の処理（例えばゲーム機能の実行）を妨げることがない。
【００７７】
また、無線端末９を設置するときに、それぞれの無線端末９がにぎり担当者用であるか、汁物担当者用であるか、飲物担当者用であるか、等を入力しておくことで、以下のようなダイレクト注文処理を行うこともできる。
【００７８】
図１２は、ダイレクト注文処理を示すフローチャートである。ダイレクト注文とは、無線端末９のテレビ電話機能を用いて顧客と担当者とが直接会話することによって、注文処理ページであるメニュー画面を介することなく、注文を行う機能である。
【００７９】
顧客が無線端末９を操作してダイレクト注文を要求すると、無線端末９は、全ての無線端末９に対してダイレクト注文の要求メッセージを送信する（Ｓ８１）。他の無線端末９は、それぞれこのダイレクト注文要求メッセージを受信する（Ｓ８２）。厨房の無線端末９は、要求が有った無線端末９に対して、担当者を示す情報（その無線端末９がにぎり担当者用であるか、汁物担当者用であるか、飲物担当者用であるか、等）を返信する（Ｓ８３）。顧客側の無線端末９は、ダイレクト注文要求メッセージを受信した場合、これを破棄し、返信をしない。要求メッセージを送信した無線端末９は、この担当者情報を受信して、ＬＣＤディスプレイ５０にリスト表示する（Ｓ８４）。
【００８０】
顧客は、無線端末９のＬＣＤディスプレイ５０に表示された担当者リストから所望の担当者を選択する（Ｓ８５）。無線端末９は、この担当者選択情報を厨房の無線端末９に送信する（Ｓ８６）。
【００８１】
厨房の無線端末９は、この担当者選択情報を受信し（Ｓ８７）、自身の担当者を示す担当者選択情報であるか否かを判断する（Ｓ８８）。自身の担当者を示す情報でない場合は、動作を終える。自身の担当者を示す情報である場合は、応答メッセージを送信する（Ｓ８９）。なお、応答メッセージは厨房担当者が無線端末９を操作したときに送信するようにしてもよい。
【００８２】
顧客側の無線端末９が、この応答を受信すると（Ｓ９０）、厨房側の無線端末９と接続し、テレビ電話機能で相互に映像，音声を送受する（Ｓ９１、Ｓ９２）。これにより、顧客は、厨房の担当者に対して口頭で直接注文をすることができる。
【００８３】
このダイレクト注文の注文形態は、鮮魚の寿司等頻繁に品揃えが変化する商品の注文に好適である。
【００８４】
なお、この実施形態では、飲食店における注文処理システムについて説明したが、無論、商品は、飲食物に限定されるものではない。カラオケ店舗において、各カラオケルームの顧客の注文処理を行うこともできる。
【００８５】
なお、本実施形態では、無線端末の機能として、顧客のＩＤカードを読み取ってその顧客をサーバにログインさせるログイン機能、ゲームプログラムをするゲーム機能、カラオケ店などのリクエスト用端末として用いる機能、等を搭載した例を示したが、無論これらは本発明において必須の構成ではなく、無線端末としては、携帯電話やＰＤＡ等を用いることも可能である。
【図面の簡単な説明】
【００８６】
【図１】この発明の実施形態の注文処理システムが適用された飲食店におけるネットワーク構成を説明する図である。
【図２】顧客１Ａが無線端末９Ａを用いて飲食物を注文した場合のデータの流れを示す図である。
【図３】にぎり担当者１Ｅが無線端末９Ｅを用いて調理を終えた旨を入力した場合のデータの流れを示す図である。
【図４】無線端末９の外観図である。
【図５】同無線端末の構成を示すブロック図である。
【図６】注文処理ページのリンク構成を説明する図である。
【図７】注文内容確認ページの構成例を示す図である。
【図８】注文処理ページの構成例を示す図である。
【図９】注文手順を示すフローチャートである。
【図１０】注文確認手順を示すフローチャートである。
【図１１】注文処理ページの内容を変更する手順を示す図である。
【図１２】ダイレクト注文を行う手順を示す図である。
【符号の説明】
【００８７】
２−店舗
３−厨房
４−ルータ
８−無線アクセスポイント
９−無線端末
【図４】
2008027005.tif 000003
【図５】
2008027005.tif 000004
【図６】
2008027005.tif 000005
【図７】
2008027005.tif 000006
【図８】
2008027005.tif 000007
【図９】
2008027005.tif 000008
【図１０】
2008027005.tif 000009
【図１１】
2008027005.tif 000010
【図１２】
2008027005.tif 000011
【図１】
2008027005.tif 000012
【図２】
2008027005.tif 000013
【図３】
2008027005.tif 000014